(57)【特許請求の範囲】
【請求項１】
受信され、電子透かしが埋め込まれているオーディオ又はビデオ信号にリファレンスパターンが存在するか否かを判定する方法であって、
前記リファレンスパターンに一致する少なくとも１つの候補となるリファレンスパターンは、前記受信され、電子透かしが埋め込まれているオーディオ又はビデオ信号と相関付けられ、対応する相関結果の振幅のピークがチェックされ、
当該方法は、
前記受信された信号の現在のセクションについて、前記リファレンスパターンのそれぞれ１つとの相関を計算するステップと、
相関結果の振幅値において、メインピークで示される現在の相関結果の振幅値の絶対値が第一の閾値よりも大きく、前記メインピークの絶対値がその左隣の相関結果の振幅値の絶対値よりも大きく、その右隣の相関結果の振幅値の絶対値よりも大きい値のグループを発見するステップと、
前記メインピークのそれぞれ１つの予め決定された周辺において、更なるピークのそれぞれのピークについて、現在の相関結果の振幅値の絶対値が前記第一の閾値よりも小さい第二の閾値よりも大きく、更なるピークのそれぞれについて、その絶対値がその左隣の相関結果の振幅値の絶対値よりも大きく、その右隣の相関結果の振幅値の絶対値よりも大きい更なるピークを発見するステップと、
前記値のグループのそれぞれ１つについて、グループ当たりの合計値を形成するため、前記メインピーク及び前記更なるピークの絶対値を結合するステップと、
前記リファレンスパターンのそれぞれ１つについて、前記グループの合計値のうちの最大の値を決定し、これら最大値のうちの最も大きな値が予め決定された又は可変の閾値を超える場合、対応するリファレンスパターンが前記受信されたオーディオ又はビデオ信号に存在すると判定するステップと、
を含むことを特徴とする方法。
【請求項２】
相関結果の振幅値の代わりに、正規化された相関結果の振幅値がピーク値を決定するために使用される、
請求項１記載の方法。
【請求項３】
前記結合において、前記メインピーク及び更なるピークの左右に予め決定された近傍のレンジに位置される相関結果の振幅の絶対値であって、第三の閾値を超える相関結果の振幅の絶対値が含まれ、
ノイズを表す第四の閾値の減算に続いて相関結果の振幅の対応する絶対値が結合され、
前記第三の閾値は、前記第四の閾値よりも大きい、
請求項１又は２記載の方法。
【請求項４】
前記予め決定された周辺は、非対称であり、ｔ1サンプルだけ左に延び、ｔ2サンプルだけ右に延びる、
請求項１乃至３の何れか記載の方法。
【請求項５】
前記予め決定された又は可変の閾値、前記第一の閾値、前記第二の閾値、前記第三の閾値、前記第四の閾値、及び前記サンプル値ｔ1〜ｔ2は予め決定されているか、前記受信された信号におけるエコー及び反響音パラメータに依存して処理の間に調整される、
請求項４記載の方法。
【請求項６】
前記予め決定された近隣のレンジは、ｔ3サンプルだけ左に延び、ｔ3サンプルだけ右に延びる、
請求項３記載の方法。
【請求項７】
前記予め決定された又は可変の閾値、前記第一の閾値、前記第二の閾値、前記第三の閾値、前記第四の閾値、及び前記サンプル値ｔ3は予め決定されているか、前記受信された信号におけるエコー及び反響音パラメータに依存して処理の間に調整される、
請求項６記載の方法。
【請求項８】
前記予め決定された近隣のレンジは、非対称であり、ｔ3又はｔ4サンプルだけ左に延び、ｔ3又はｔ4サンプルだけ右に延びる、
請求項３記載の方法。
【請求項９】
前記予め決定された又は可変の閾値、前記第一の閾値、前記第二の閾値、前記第三の閾値、前記第四の閾値、及び前記サンプル値ｔ3及びｔ4は予め決定されているか、前記受信された信号におけるエコー及び反響音パラメータに依存して処理の間に調整される、
請求項８記載の方法。
【請求項１０】
前記相関値が計算される前に、前記受信された信号はスペクトル成形及び／又はホワイトニングされる、
請求項１乃至９の何れか記載の方法。
【請求項１１】
受信され、電子透かしが埋め込まれているオーディオ又はビデオ信号にリファレンスパターンが存在するか否かを判定する装置であって、
前記リファレンスパターンに一致する少なくとも１つの候補となるリファレンスパターンは、前記受信され、電子透かしが埋め込まれているオーディオ又はビデオ信号と相関付けられ、対応する相関結果の振幅のピークがチェックされ、
当該装置は、
前記受信された信号の現在のセクションについて、前記リファレンスパターンのそれぞれ１つとの相関を計算する手段と、
相関結果の振幅値において、メインピークで示される現在の相関結果の振幅値の絶対値が第一の閾値よりも大きく、前記メインピークの絶対値がその左隣の相関結果の振幅値の絶対値よりも大きく、その右隣の相関結果の振幅値の絶対値よりも大きい値を発見する手段と、
前記メインピークのそれぞれ１つの予め決定された周辺において、更なるピークのそれぞれのピークについて、現在の相関結果の振幅値の絶対値が前記第一の閾値よりも小さい第二の閾値よりも大きく、更なるピークのそれぞれについて、その絶対値がその左隣の相関結果の振幅値の絶対値よりも大きく、その右隣の相関結果の振幅値の絶対値よりも大きい更なるピークを発見する手段と、
前記値のグループのそれぞれ１つについて、グループ当たりの合計値を形成するため、前記メインピーク及び前記更なるピークの絶対値を結合する手段と、
前記リファレンスパターンのそれぞれ１つについて、前記グループの合計値のうちの最大の値を決定し、これら最大値のうちの最も大きな値が予め決定された又は可変の閾値を超える場合、対応するリファレンスパターンは受信されたオーディオ又はビデオ信号に存在すると判定する手段と、
を有することを特徴とする装置。
【請求項１２】
相関結果の振幅値の代わりに、正規化された相関結果の振幅値がピーク値を決定するために使用される、
請求項１１記載の装置。
【請求項１３】
前記結合において、前記メインピーク及び更なるピークの左右に予め決定された近傍のレンジに位置される相関結果の振幅の絶対値であって、第三の閾値を超える相関結果の振幅の絶対値が含まれ、
ノイズを表す第四の閾値の減算に続いて相関結果の振幅の対応する絶対値が結合され、
前記第三の閾値は、前記第四の閾値よりも大きい、
請求項１１又は１２記載の装置。
【請求項１４】
前記予め決定された周辺は、非対称であり、ｔ1サンプルだけ左に延び、ｔ2サンプルだけ右に延びる、
請求項１１乃至１３の何れか記載の装置。
【請求項１５】
前記予め決定された又は可変の閾値、前記第一の閾値、前記第二の閾値、前記第三の閾値、前記第四の閾値、及び前記サンプル値ｔ1〜ｔ2は予め決定されているか、前記受信された信号におけるエコー及び反響音パラメータに依存して処理の間に調整される、
請求項１４記載の装置。
【請求項１６】
前記予め決定された近隣のレンジは、ｔ3サンプルだけ左に延び、ｔ3サンプルだけ右に延びる、
請求項１３記載の装置。
【請求項１７】
前記予め決定された又は可変の閾値、前記第一の閾値、前記第二の閾値、前記第三の閾値、前記第四の閾値、及び前記サンプル値ｔ3は予め決定されているか、前記受信された信号におけるエコー及び反響音パラメータに依存して処理の間に調整される、
請求項１６記載の装置。
【請求項１８】
前記予め決定された近隣のレンジは、非対称であり、ｔ3又はｔ4サンプルだけ左に延び、ｔ3又はｔ4サンプルだけ右に延びる、
請求項１３記載の装置。
【請求項１９】
前記予め決定された又は可変の閾値、前記第一の閾値、前記第二の閾値、前記第三の閾値、前記第四の閾値、及び前記サンプル値ｔ3及びｔ4は予め決定されているか、前記受信された信号におけるエコー及び反響音パラメータに依存して処理の間に調整される、
請求項１８記載の装置。
【請求項２０】
前記相関値が計算される前に、前記受信された信号はスペクトル成形及び／又はホワイトニングされる、
請求項１１乃至１９の何れか記載の装置。
【発明の詳細な説明】
【技術分野】
【０００１】
本発明は、相関及び相関結果のピーク検出を使用して、受信され、電子透かしがおそらく埋め込まれた信号にリファレンスパターンが存在するか否かを判定する方法及び装置に関する。
【背景技術】
【０００２】
オーディオ又はビデオ信号における電子透かしは、たとえばWO2007/031423、WO97/33391（US6584138B1）又はUS6061793に記載されるように、相関を使用してレシーバ又はデコーダサイドで検出することができる。
【０００３】
多くの電子透かしシステムは、検出メトリックを計算する相関を利用し、この検出メトリックは、幾つかの擬似ランダム系列又はリファレンスパターンは、エンコーダサイドで生成され、それらの１以上は、埋め込まれるべきメッセージに依存してコンテンツ（たとえばオーディオ又はビデオ信号）に埋め込まれることを意味する。同じ擬似ランダム系列は、デコーダサイドで生成される。埋め込まれたメッセージをエンコード及びデコードするために周波数変換が使用される。埋め込まれたメッセージをデコードするため、埋め込まれたメッセージをデコードするため、どの擬似ランダム系列がエンコーダサイドに埋め込まれたかを発見することが必要である。このことは、既知の擬似ランダム系列を場合によっては電子透かしが埋め込まれているコンテンツと相関計算を行なうことで、これらのシステムで決定され、これにより、相関は、前処理されたバージョンのコンテンツで動作する場合があり、この前処理は、逆周波数変換、スペクトル成形及び／又はホワイトニングを含む場合がある。
【０００４】
それぞれ埋め込まれたリファレンスパターンは、埋め込まれたメッセージの１ビットを表す。それぞれ埋め込まれたリファレンスパターンが埋め込まれたメッセージのうちの２以上のビットを表している電子透かしシステムがある。
【０００５】
WO2005/078658では、相関結果のクラスタが評価され、あるクラスタは、相関ピークの周辺における相関結果を含み、検出の閾値を超える。
【０００６】
電子透かしの検出器は、相関結果の値のサイズに依存して、所与の擬似ランダム系列が埋め込まれているか否かを判定する。
【０００７】
関連される改善された判定処理は、PCT/US2007/014037に記載されており、ここでは、相対的な相関結果の値の計算により、誤ったポジティブレート、すなわち、電子透かしが埋め込まれていないコンテンツが埋め込まれているとして分類される確率が減少される。この処理は、電子透かしが埋め込まれたコンテンツがたとえば（ｍｐ３、ＡＡＣ、ＷＭＡ、ＡＣ−３、ＭＰＥＧのような）知覚的符号化により変更された場合であっても良好に機能すると考えられる。
【先行技術文献】
【特許文献】
【０００８】
【特許文献１】WO2007/031423
【特許文献２】WO97/33391（US6584138B1）
【特許文献３】US6061793
【特許文献４】WO2005/078658
【特許文献５】PCT/US2007/014037
【発明の概要】
【発明が解決しようとする課題】
【０００９】
しかし、その類の判定処理は、たとえば電子透かしが埋め込まれたオーディオがラウドスピーカにより放出され、次いでマイクロフォンで捕捉される場合に正しい判定を提供しない。これは、たとえば、シネマにおいて、或いは、固定又は移動の電子透かし検出器が使用されるプログラムオーディエンス測定用途において記録された海賊版で起こる。記録されたコンテンツは、エコー及び反響音を含み、この種の信号の外乱により、公知の電子透かし検出処理は、正しいやり方で対処することができない。
【課題を解決するための手段】
【００１０】
本発明により解決されるべき課題は、相関に基づいた電子透かし検出システムのエコー及び反響音に関するロバスト性を改善することにある。この課題は、請求項１に開示される方法により解決される。この方法を利用する装置は、請求項２に開示されている。
【００１１】
本発明によれば、受信された信号のエコーを、それらをノイズとして扱う代わりに利用する。電子透かしの検出結果は、ノイズとエコーとを区別し、エコーから得られる相関値をメインの相関ピークに統合することで改善される。基本的に、相関結果のピーク振幅値の予め決定された周辺に位置される相関結果の振幅値、及び予め決定された振幅を超える相関結果の振幅値が集約される。
【００１２】
本発明では、それぞれ埋め込まれたリファレンスパターンｒは、埋め込まれたメッセージの１ビットのみ、又は２以上のビットのみを表す。リファレンスパターンｒは、互いに直交する。
【００１３】
原理上、本発明の方法は、受信された信号であって、場合によっては電子透かしが埋め込まれている信号にリファレンスパターンが存在するか否かを判定するために適している。前記リファレンスパターンにおそらく一致する少なくとも候補となるリファレンスパターンは、受信された電子透かしが埋め込まれた信号と相関付けられ、対応する相関結果の振幅のピークがチェックされる。
【００１４】
当該方法は、以下のステップを含む。前記受信された信号の現在のセクションについて、前記リファレンスパターンのそれぞれ１つとの相関を計算するステップ。相関結果の振幅値において、メインピークで示される現在の相関結果の振幅値の絶対値が第一の閾値よりも大きく、また、前記メインピークの絶対値がその左の近隣の相関結果の振幅値の絶対値よりも大きく、その右の近隣の相関結果の振幅値の絶対値よりも大きい値のグループを発見するステップ。前記メインピークのそれぞれ１つの予め決定された周辺において、更なるピークのそれぞれのピークについて、現在の相関結果の振幅値の絶対値が前記第一の閾値よりも小さい第二の閾値よりも大きく、更なるピークのそれぞれについて、その絶対値がその左の近隣の相関結果の振幅値の絶対値よりも大きく、その右の近隣の相関結果の振幅値の絶対値よりも大きい更なるピークを発見するステップ。前記値のグループのそれぞれ１つについて、前記メインピーク及び前記更なるピークの絶対値を結合して、これにより、グループ当たりの合計値を形成するステップ。前記リファレンスパターンのそれぞれ１つについて、前記グループの合計値のうちの最大の値を決定するステップ。これら最大値のうちの最も大きな値が予め決定された又は可変の閾値を超える場合、対応するリファレンスパターンは受信された信号に存在すると判定される。
【００１５】
原理上、本発明の装置は、受信された信号であって、場合によっては電子透かしが埋め込まれている信号にリファレンスパターンが存在するか否かを判定するために適している。前記リファレンスパターンにおそらく一致する少なくとも候補となるリファレンスパターンは、受信された電子透かしが埋め込まれた信号と相関付けられ、対応する相関結果の振幅のピークがチェックされる。
【００１６】
当該装置は、以下を含む。前記受信された信号の現在のセクションについて、前記リファレンスパターンのそれぞれ１つとの相関を計算する手段。相関結果の振幅値において、メインピークで示される現在の相関結果の振幅値の絶対値が第一の閾値よりも大きく、また、前記メインピークの絶対値がその左の近隣の相関結果の振幅値の絶対値よりも大きく、その右の近隣の相関結果の振幅値の絶対値よりも大きい値のグループを発見する手段。前記メインピークのそれぞれ１つの予め決定された近辺において、更なるピークのそれぞれのピークについて、現在の相関結果の振幅値の絶対値が前記第一の閾値よりも小さい第二の閾値よりも大きく、更なるピークのそれぞれについて、その絶対値がその左の近隣の相関結果の振幅値の絶対値よりも大きく、その右の近隣の相関結果の振幅値の絶対値よりも大きい更なるピークを発見する手段。前記値のグループのそれぞれ１つについて、前記メインピーク及び前記更なるピークの絶対値を結合して、これにより、グループ当たりの合計値を形成する手段。前記リファレンスパターンのそれぞれ１つについて、前記グループの合計値のうちの最大の値を決定し、これら最大値のうちの最も大きな値が予め決定された又は可変の閾値を超える場合、対応するリファレンスパターンは受信された信号に存在すると判定する手段。  
本発明の有利な更なる実施の形態は、それぞれの従属の請求項に開示される。
【発明の効果】
【００１７】
本発明の利点は、埋め込まれた電子透かしのロバスト性は、電子透かしが埋め込まれたオーディオ信号の品質を妥協することなしに増加されることである。また、公知の電子透かしの処理は、電子透かしのエンコードサイドでのワークフローに影響を及ぼすことなしに最適化することができることである。さらに、本発明は、電子透かしの埋め込みに関連するものではなく、電子透かしの検出に関連するものであるため、既存の電子透かしシステムは、既にマークされたコンテンツのリマーキングの必要なしに改善することができる。さらに、本発明の最適化は、それらの検出メトリックとして相関を使用する全ての電子透かしシステムに適用することができる。
【図面の簡単な説明】
【００１８】
本発明の例示的な実施の形態は、添付図面を参照して記載される。
【００１９】
【図１】穏やかに乱れたコンテンツをもつ受信された信号について、デコーダサイドで計算された相関結果の値を表すグラフである。
【図２】ラウドスピーカにより送信され、マイクロフォンで記録された受信された信号についてデコーダサイドで計算された相関結果の値である。
【図３】本発明の処理を説明するフローチャートである。
【図４】ピークの合計の最大値の計算を説明するフローチャートである。
【図５】相関結果の振幅とτとの領域で示される本発明の処理を説明するグラフである。
【発明を実施するための最良の形態】
【００２０】
上述されたように、多くの電子透かしシステムは、相関に基づいた検出を使用するものであり、このことは、エンコーダサイドで、ビット又はワード値を表す幾つかの擬似ランダム系列が生成されるか、メモリから選択され、それらの１以上が埋め込まれるべきメッセージ（たとえばウォータマークビット）に依存してコンテンツ又は信号（たとえばオーディオ又はビデオ信号）ことを意味する。デコーダサイドで、同じ擬似ランダム系列が生成されるか、メモリから選択される。埋め込まれたメッセージをデコードするため、どの擬似ランダム系列が受信されたコンテンツ又は信号に埋め込まれたかを発見することが必要である。このことは、既知の擬似ランダム系列を恐らく前処理されたコンテンツ又は信号と相関付けすることで実行される。その後、デコーダ又はレシーバ検出器は、相関結果の振幅値のサイズに依存して、所与の系列が埋め込まれているか否かを判定する。
【００２１】
長さＮの信号又は系列ｘは、ｘ＝（ｘ（１），ｘ（２），ｘ（３），．．．，ｘ（Ｎ））として定義され、ｘ（ｎ）は、信号又は系列ｘのｎ番目のサンプルである。信号ｘ及び擬似ランダムのリファレンスパターンｒが既に同期されている場合、正規化された相関値Ｃは以下のように計算される。
【００２２】
【数１】
0005232668.tif 000002
ここでＳｕｍ（ｉ＝１．．Ｎ）はΣNi=1を意味し、Ｎは信号ｘ及び系列ｒの長さであり、ｉはサンプルのインデックスであり、“｜｜．．．｜｜”は、ユークリッドのノルムである。ユークリッドノルムは、以下のように定義される。
【００２３】
【数２】
0005232668.tif 000003
Ｃの絶対値が大きくなると、現在のリファレンスパターンｒがｘに埋め込まれる確率が高くなる。Ｃの負の値は、パターンｒが埋め込みステージと検出ステージとの間で無効にされていることを示す。
【００２４】
しかし、通常ｘとｒは同期されていない。係るケースでは、異なるオフセットτ＝１，２，３，．．．，Ｎについて正規化された相関値（相関「ラグ」と呼ばれることがある）は、以下のように計算される。
【００２５】
【数３】
0005232668.tif 000004
この種の計算について、ＦＦＴ（高速フーリエ変換）を使用した高速アルゴリズムを利用することができる。信号ｘと所与のリファレンス系列ｒとの間の対応するオフセットτは、Ｃ（τ）を最大にする値τを発見することで計算される。
【００２６】
図１は、緩やかに乱れたコンテンツをもつ受信された信号ｘについて、デコーダサイドで計算される相関結果の値Ｃ（τ＝０）を示す。水平軸は、サンプルの位置を示し、垂直軸は、相関結果の振幅を示す。水平の位置“０”に関連する明らかな高い振幅のピークを判定することができる。
【００２７】
PCT/US2007/014037では、最も大きな正規化された相関値と２番目に大きい正規化された相関値との間の差又は比を使用して、電子透かしの検出をよりロバストにすることが提案されている。しかし、Ｃ（τ）の最大値を発見することは、受信された信号又はコンテンツが音響経路の伝送を受ける場合にもはや機能せず、その対応するデコーダの相関結果は、図２に示される。図１における非常に明らかな振幅ピークは、非常に小さく、エコー及び反響音のために時間的に分散されている。リファレンス信号ｒの存在及びオフセットを示すピークは、受信された信号におけるノイズから得られるピークよりも小さいことさえ生じる。
【００２８】
本発明の処理は以下のように機能するものであり、ここでｋは現在の擬似ランダムリファレンスパターン又は系列ｒのインデックスである。  
ａ）たとえばフィルタリング及び／又はホワイトニングのような信号処理によりオーディオ信号又はリファレンス信号をエンハンスした後、上述されたように、受信された信号ｘの現在のセクションについて、それぞれのリファレンス信号ｒkについて相関Ｃk（τ）を計算する。  
ｂ）それぞれのＣk（τ）について、（ピークグループの）最大の累積されたピークの合計を発見する。  
ｃ）PCT/US2007/014037に記載されるように、累積されたピークの合計を相関値として直接的に使用するか、最大のピークの合計を第二に大きいピークの合計で除算し、結果的に得られた値を検出強度の速度として使用する。  
ｄ）ｋ個の累積されたピークの合計値のうちの１つが予め決定された又は可変の閾値を超える場合、電子透かし又はリファレンスパターンが存在するものと想定されるかを判定し、受信された信号ｘの後続のセクションに移る（リファレンスパターンの乱れはレシーバ／デコーダサイドで既知である）。
【００２９】
全ての候補となる擬似ランダムリファレンス系列ｋについて、ある相関のための累積されたピークの合計ｓｕｍmax,kは、以下のように計算される。ここでｍは相関ピークのグループのインデックスである。
【００３０】
ｍk＝０；
Ｃk（τ）の全ての振幅値について、以下の条件
abs(Ck(τ))＞thr1及びabs(Ck(τ))＞abs(Ck(τ-1))及びabs(Ck(τ))＞abs(Ck(τ+1))を受ける値のグループを発見する（これらCk(τ)の振幅値は、メインピークとして示される）。
ｄｏ
ｍk＝ｍk+1
ｓｕｍk（ｍ）＝０
（τm,k−ｔ1）≦ｙ≦（τm,k＋ｔ2）により定義されるグループｍkでの全ての値ｙについて、
ｄｏ
ｉｆ  abs(Ck(ｙ))＞thr2及びabs(Ck(ｙ))＞abs(Ck(ｙ-1))及びabs(Ck(ｙ))＞abs(Ck(ｙ+1))
ｄｏ
ｓｕｍk（ｍ）＝ｓｕｍk（ｍ）＋ｐｅａｋ＿ｓｕｍk（ｙ）
全てのｍグループについて、maximum summax,k = sumkの値のうちのmax(1≦n≦m) sumk(n)を発見する。
【００３１】
値peak_sumk(ｙ)は、以下に定義される。最大の合計summax,kは、候補となるリファレンスパターンｋについて、上述された累積されたピークの合計である。他の候補となるリファレンスパターンｋについて更なる最大の合計が存在する場合がある。これら最大の合計のうちの最も大きな合計が予め決定された又は可変の閾値thr0を超える場合、対応する電子透かし又はリファレンスパターン（又は擬似ランダムリファレンス系列）ｋが受信された信号に存在するものと判定される。閾値thr0は、閾値thr1よりも大きい。
【００３２】
それぞれ埋め込まれたリファレンスパターンはたとえば埋め込まれたメッセージの１ビットのみを表し、リファレンスパターンの距離は、レシーバ／デコーダサイドで既知であるため、エンコーダサイドで選択された擬似ランダムリファレンス系列ｋの（受信された信号ｘにおける）真の位置τを判定すること、及び埋め込まれたメッセージの次の１ビット又は２以上のビットをデコードするため、おそらく電子透かしが埋め込まれたコンテンツの後続の部分を判定することが必要である。
【００３３】
しかし、ピークの合計値をノイズからさらに区別するため、位置ｙでのピーク合計peak_sumkは、以下のように計算される。
【００３４】
peak_sumk(y) = abs(Ck(y))
j=1
while (j<t3 and abs(Ck(y-j))>thr3)
peak_sumk(y) = peak_sumk(y)
+ abs(Ck(y-j)) − thr4
j= j+1
j=1
while (j<t3 AND abs(Ck(y+j))>thr3)
peak_sumk(y) = peak_sumk(y)
+ abs(Ck(y+j)) − thr4
j=j+1
相関結果の振幅対τのドメインにおける図５に示されるように、閾値thr1は、それぞれのグループｍについて支配的又は最も大きいピーク５１，５４をサーチするために使用される。グループｍ1及びｍ2が示され、グループｍ1の支配的なピーク５１は、τ1に位置され、グループｍ2の支配的なピーク５４は、τ2に位置される。閾値thr2は、閾値thr2よりも小さく、支配的なピークの付近における（たとえばエコーから生じる場合がある）小さいが、なお重要なピーク５２，５３，５５，５６をサーチする為に使用される。閾値thr3及びthr4（図示せず）は、ノイズレベルに関連される。thr4はノイズにより生じたオフセットを表す。ノイズレベルが推定される場合、閾値thr4は、より正確に計算される。閾値thr3は、ピークとノイズとを区別する、すなわちノイズに関してピークを高めるために使用される更なる閾値であり、ここでthr3≧thr4である。ノイズがない場合、thr3＝thr4である。
【００３５】
有利なことに、ｙ−ｔ3＜ｙ＜ｙ＋ｔ3におけるＣk(ｙ)の値、及びＣk(ｙ)に隣接するＣk(ｙ)の値は、累積されたピークの合計値が「ノイズピーク」から更に区別されるように、ピークの合計を増加するために使用される。
【００３６】
振幅の閾値thr0，thr1，thr2，thr3，thr4，及びサンプルレンジｔ1，ｔ2，ｔ3及びｔ4は、アプリケーションのエコー及び反響音のパラメータに依存して調整される。対称的なレンジ±ｔ3は、非対称（−ｔ3．．．＋ｔ4）又は（−ｔ4．．．＋ｔ3）とすることができる。さらに、ｙ−ｔ3or4＜ｙ＜ｙ＋ｔ3or4におけるＣk(ｙ)の値は、それらの振幅が対応するピークの振幅からの予め決定された振幅の距離よりも小さくない場合にのみ累積される。
【００３７】
図３における電子透かしデコーダでは、受信されたエンコードされた信号ｘは、ステップ又はステージ３１で取得される。スペクトル成形又はホワイトニングのような前処理は、ステップ又はステージ３２で実行される。結果的に得られる出力信号は、ステップ又はステージ３３における擬似ランダムリファレンスパターンと相関付けされる。累積される最大のピークの合計は、上述されたように、ステップ又はステージ３４で計算される。その後、擬似ランダムリファレンスパターンｒのうちのどれがエンコーダサイドで信号ｘに埋め込まれているかが判定され、対応するワーテーマークデータシンボルが出力される。
【００３８】
図４では、ステップ／ステージ３４で上述されたように実行された最大のピーク合計の計算は、更に詳細に示される。第一のステップ４１は、ピークサーチの初期化である。後続のループでは、ステップ４２でピークがサーチされ、ステップ４３で中間のピークの合計が計算される。ループに続いて、全ての中間のピークの合計の最大は、ステップ４４で決定され、最大のピークの合計summax,kが出力される。
【００３９】
閾値thr0を超える最大の合計のうちの最も大きな合計値に応じて、対応するリファレンスパターンが受信された信号に存在するという最終的な判定を発する前に、埋め込まれたメッセージの幾つかのデコードされたビットは、誤り訂正処理を通過することができる。
【産業上の利用可能性】
【００４０】
本発明は、たとえば知覚的にエンコードされている電子透かしが埋め込まれているビデオといった、相関がエコー及び反響音に類似するものにより乱される全ての技術に適用可能である。
【符号の説明】
【００４１】
３１：取得ステップ
３２：前処理ステップ
３３：相関ステップ
３４：peak_sumの最大の計算ステップ
３５：判定ステップ
４１，４２：ピークサーチステップ
４３：中間のpeak_sumの計算ステップ
４４：全ての中間のpeak_sumの最大の決定ステップ
【図１】
0005232668.tif 000005
【図２】
0005232668.tif 000006
【図３】
0005232668.tif 000007
【図４】
0005232668.tif 000008
【図５】
0005232668.tif 000009